(57)【要約】  過去の送信に基づいて送信パワーレベルを設定し、かつ信号対雑音比（ＳＮＲ）、ビット誤り率（ＢＥＲ）、フレーム誤り率（ＦＥＲ）等の送受信統計値を受け取ることで、個々の無線送受信ユニット（ＷＴＲＵ）の送信パワーレベルを制御する、アクセスポイント（ＡＰ）などの無線ネットワークコンポーネントによって使用される方法および装置である。送信パワーレベル情報は、好ましくは、ＣＴＳ（clear-to-send）、ＲＴＳ（request-to-send）、データおよびＡＣＫ（acknowledge）フレームのいずれかを通じて通信される。別法として、パワー制御情報が、ビーコンフレーム、または、パワー制御のために特別に指定された個々の制御フレームに挿入されてもよい。ＷＴＲＵは、好ましくは、バッテリレベルのセンサを有し、検知されたバッテリレベルに応じてパワー制御レベルを調整する。別法として、ＡＰおよびＷＴＲＵは役割を入れ替え、ＷＴＲＵが、ＡＰによる送信を助けるためにＡＰに送信パワーレベル情報を提供してもよい。
2007517475.tif 000002
【特許請求の範囲】
【請求項１】
通信相手の無線送受信ユニット（ＷＴＲＵ）の送信パワーを制御するために無線ネットワークのアクセスポイント（ＡＰ）によって使用される方法において、
所与のＷＴＲＵに対する所望の送信パワーレベルを決定するステップと、
前記所与のＷＴＲＵの識別データとともに前記決定された所望の送信パワーレベルを表すデータを通信フレームに挿入するステップと、
前記所与のＷＴＲＵが前記ＡＰ宛の無線信号の送信パワーを調整することを可能にするために前記通信フレームを送信するステップと
を含むことを特徴とする無線ネットワークのアクセスポイントによって使用される方法。
【請求項２】
前記所望の送信パワーレベルを決定するステップが、送受信パワーレベルを扱っている過去のメッセージに加えて、信号対雑音比（ＳＮＲ）、ビット誤り率（ＢＥＲ）、フレーム誤り率（ＦＥＲ）、および前記所与のＷＴＲＵから受信される信号の送信パワーの少なくとも１つを含むデータを決定し保存することにより、過去の送受信統計値を利用するステップを含むことを特徴とする請求項１に記載の方法。
【請求項３】
前記ＡＰが調整可能アンテナを有し、前記所望の送信パワーレベルを決定するステップが、前記調整可能アンテナの調整に応じて前記所望の送信パワーレベルを修正するステップを含むことを特徴とする請求項２に記載の方法。
【請求項４】
前記フレームで送信されるパワー制御情報を識別するためのデータを、物理層コンバージェンスプロシージャ（ＰＬＣＰ）ヘッダの所定ビット群に挿入するステップをさらに含むことを特徴とする請求項１に記載の方法。
【請求項５】
前記決定された所望の送信パワーレベルを表すデータを挿入するステップが、所望の送信パワーレベルデータを前記フレームのデータ部の先頭の所定バイト数の部分に挿入するステップを含むことを特徴とする請求項１に記載の方法。
【請求項６】
無線ネットワークの無線送受信ユニット（ＷＴＲＵ）によって使用される方法において、
他のＷＴＲＵへ一般パワー制約メッセージをブロードキャストするステップと、
所与のＷＴＲＵに対する所望の送信パワーレベルを決定するステップと、
前記所与のＷＴＲＵの識別データとともに前記所望の送信パワーレベルを表すデータを通信フレームに挿入するステップと、
前記一般パワー制約メッセージにかかわらず前記所与のＷＴＲＵが該ＷＴＲＵ宛の無線信号の送信パワーを調整することを可能にするために、前記通信フレームを送信するステップと
を含むことを特徴とする無線送受信ユニットによって使用される方法。
【請求項７】
前記ＷＴＲＵが無線ローカルエリアネットワーク（ＷＬＡＮ）のアクセスポイント（ＡＰ）であり、一般パワー制約メッセージをブロードキャストするステップがビーコンフレームを用いて前記ＡＰにより実行されることを特徴とする請求項６に記載の方法。
【請求項８】
前記所望の送信パワーレベルを表すデータを挿入するステップが、前記所望の送信パワーレベルデータを前記ビーコンフレームに挿入するステップを含むことを特徴とする請求項７に記載の方法。
【請求項９】
前記所望の送信パワーレベルを表すデータを挿入するステップが、ＣＴＳ（clear-to-send）、ＲＴＳ（request-to-send）、データまたはＡＣＫ（acknowledge）フレームに、前記所望の送信パワーレベルデータを挿入するステップを含むことを特徴とする請求項７に記載の方法。
【請求項１０】
前記フレームで送信される所望の送信パワーレベルデータを識別するためのデータを、物理層コンバージェンスプロシージャ（ＰＬＣＰ）ヘッダの所定ビット群に挿入するステップをさらに含むことを特徴とする請求項９に記載の方法。
【請求項１１】
前記所望の送信パワーレベルを表すデータを挿入するステップが、前記所望の送信パワーレベルデータを前記フレームのデータ部の先頭の所定バイト数の部分に挿入するステップを含むことを特徴とする請求項９に記載の方法。
【請求項１２】
前記所望の送信パワーレベルを表すデータを挿入するステップが、前記所望の送信パワーレベルデータをメディアアクセス制御（ＭＡＣ）ヘッダに挿入するステップを含むことを特徴とする請求項９に記載の方法。
【請求項１３】
前記所望の送信パワーレベルおよび前記所与のＷＴＲＵの識別データとともに、ＡＰ送信パワーレベルを表すデータを前記通信フレームに挿入するステップをさらに含むことを特徴とする請求項９に記載の方法。
【請求項１４】
前記所望の送信パワーレベルを決定するステップが、送受信パワーレベルを扱っている過去のメッセージに加えて、信号対雑音比（ＳＮＲ）、ビット誤り率（ＢＥＲ）、フレーム誤り率（ＦＥＲ）、および前記所与のＷＴＲＵから受信される信号の送信パワーの少なくとも１つを含むデータを決定し保存することにより、過去の送受信統計値を利用するステップを含むことを特徴とする請求項７に記載の方法。
【請求項１５】
前記所望の送信パワーレベルを表すデータを挿入するステップが、パワー制御のために特別に指定された個々の制御フレームに前記所望の送信パワーレベルデータを挿入するステップを含むことを特徴とする請求項７に記載の方法。
【請求項１６】
無線ネットワークの無線送受信ユニット（ＷＴＲＵ）のための無線通信方法において、
前記無線ネットワークのアクセスポイント（ＡＰ）から一般パワー制約メッセージのブロードキャストを受信するステップと、
前記ＡＰとの無線通信アソシエーションを確立するステップと、
前記ＡＰから前記ＷＴＲＵの識別データとともに所望の送信パワーレベルを表すデータを有する通信フレームを受信するステップと、
前記一般パワー制約メッセージにかかわらず、前記受信された所望の送信パワーレベルデータに基づいて前記ＡＰ宛の無線信号の送信パワーを調整するステップと
を含むことを特徴とする無線送受信ユニットのための無線通信方法。
【請求項１７】
一般パワー制約メッセージの前記ブロードキャストが、無線ローカルエリアネットワーク（ＷＬＡＮ）のビーコンフレームで受信されることを特徴とする請求項１６に記載の方法。
【請求項１８】
前記ＷＴＲＵがバッテリにより電力供給されており、前記ＡＰ宛の無線信号の送信パワーを調整するステップが、
残存バッテリエネルギー容量を測定するステップと、
前記受信された所望の送信パワーレベルデータおよび前記測定された残存エネルギー容量に基づいて送信パワーを修正するステップと
をさらに含むことを特徴とする請求項１６に記載の方法。
【請求項１９】
前記ＡＰ宛の無線信号の送信パワーを調整するステップが、前記バッテリの前記測定された残存エネルギー容量が所定の閾値よりも高い場合に、調整の基礎として前記受信された所望の送信パワーレベルデータを使用するステップを含むことを特徴とする請求項１８に記載の方法。
【請求項２０】
前記ＡＰ宛の無線信号の送信パワーを調整するステップが、前記バッテリの前記測定された残存エネルギー容量が前記所定の閾値よりも低い場合に、調整の基礎として前記受信された所望の送信パワーレベルデータを使用し、前記測定された残存エネルギー容量と前記所定の閾値との差の関数として前記調整を低減するステップを含むことを特徴とする請求項１９に記載の方法。
【請求項２１】
前記パワー調整が低減される場合、バッテリ低下メッセージを前記ＡＰへ送信するステップをさらに含むことを特徴とする請求項２０に記載の方法。
【請求項２２】
前記受信された所望の送信パワーレベルデータに基づいて前記ＡＰ宛の無線信号の送信パワーを調整するステップが、ＷＴＲＵ決定判断基準によって影響を受ける場合に、前記ＡＰへ非準拠調整メッセージを送信するステップをさらに含むことを特徴とする請求項１６に記載の方法。
【請求項２３】
前記受信された所望の送信パワーレベルデータに基づいて前記ＡＰ宛の無線信号の送信パワーを調整するステップが、残存バッテリ容量、最大パワーレベル、最小パワーレベルおよび非サポート機能のうちの少なくとも１つのＷＴＲＵ決定判断基準にも基づくことを特徴とする請求項２２に記載の方法。
【請求項２４】
ＡＰから前記ＷＴＲＵへの送信のための所望のＡＰ送信パワーレベルを決定するステップと、
前記ＷＴＲＵの識別データとともに前記所望のＡＰ送信パワーレベルを表すデータを通信フレームに挿入するステップと、
前記ＡＰが前記ＷＴＲＵ宛の無線信号の送信パワーを調整することを可能にするために前記通信フレームを送信するステップと
をさらに含むことを特徴とする請求項１６に記載の方法。
【請求項２５】
前記所望のＡＰ送信パワーレベルを表すデータを挿入するステップが、ＣＴＳ（clear-to-send）、ＲＴＳ（request-to-send）、データまたはＡＣＫ（acknowledge）フレームに前記所望のＡＰ送信パワーレベルデータを挿入するステップを含むことを特徴とする請求項２４に記載の方法。
【請求項２６】
前記フレームで送信される所望のＡＰ送信パワーレベルデータを識別するためのデータを、物理層コンバージェンスプロシージャ（ＰＬＣＰ）ヘッダの所定ビット群に挿入するステップをさらに含むことを特徴とする請求項２５に記載の方法。
【請求項２７】
前記所望のＡＰ送信パワーレベルを表すデータを挿入するステップが、前記フレームのデータ部の先頭の所定バイト数の部分に、前記所望の送信パワーレベルデータを挿入するステップを含むことを特徴とする請求項２５に記載の方法。
【請求項２８】
前記所望のＡＰ送信パワーレベルを表すデータを挿入するステップが、メディアアクセス制御（ＭＡＣ）ヘッダに、前記所望のＡＰ送信パワーレベルデータを挿入するステップを含むことを特徴とする請求項２５に記載の方法。
【請求項２９】
前記所望のＡＰ送信パワーレベルを決定するステップが、送受信パワーレベルを扱っている過去のメッセージに加えて、信号対雑音比（ＳＮＲ）、ビット誤り率（ＢＥＲ）、フレーム誤り率（ＦＥＲ）、および前記ＡＰから受信される信号の送信パワーの少なくとも１つを含むデータを決定し保存することにより、過去の送受信統計値を利用するステップを含むことを特徴とする請求項２４に記載の方法。
【請求項３０】
前記所望のＡＰ送信パワーレベルを表すデータを挿入するステップが、パワー制御のために特別に指定された個々の制御フレームに、前記所望の送信パワーレベルデータを挿入するステップを含むことを特徴とする請求項２４に記載の方法。
【請求項３１】
無線ネットワークの無線送受信ユニット（ＷＴＲＵ）のための無線通信方法において、
無線ローカルエリアネットワーク（ＷＬＡＮ）のアクセスポイント（ＡＰ）から一般パワー制約メッセージのブロードキャストを受信するステップと、
前記ＡＰとの無線通信アソシエーションを確立するステップと、
ＡＰから前記ＷＴＲＵへの送信のための所望のＡＰ送信パワーレベルを決定するステップと、
通信フレームに、前記ＷＴＲＵの識別データとともに前記所望のＡＰ送信パワーレベルを表すデータを挿入するステップと、
前記ＡＰが前記ＷＴＲＵ宛の無線信号の送信パワーを調整することを可能にするために前記通信フレームを送信するステップと
を含むことを特徴とする無線送受信ユニットのための無線通信方法。
【請求項３２】
前記所望のＡＰ送信パワーレベルを表すデータを挿入するステップが、ＣＴＳ（clear-to-send）、ＲＴＳ（request-to-send）、データまたはＡＣＫ（acknowledge）フレームに、前記所望のＡＰ送信パワーレベルデータを挿入するステップを含むことを特徴とする請求項３１に記載の方法。
【請求項３３】
前記フレームで送信される所望のＡＰ送信パワーレベルデータを識別するためのデータを、物理層コンバージェンスプロシージャ（ＰＬＣＰ）ヘッダの所定ビット群に挿入するステップをさらに含むことを特徴とする請求項３２に記載の方法。
【請求項３４】
前記所望のＡＰ送信パワーレベルを表すデータを挿入するステップが、前記フレームのデータ部の先頭の所定バイト数の部分に、前記所望の送信パワーレベルデータを挿入するステップを含むことを特徴とする請求項３２に記載の方法。
【請求項３５】
前記所望のＡＰ送信パワーレベルを表すデータを挿入するステップが、メディアアクセス制御（ＭＡＣ）ヘッダに、前記所望のＡＰ送信パワーレベルデータを挿入するステップを含むことを特徴とする請求項３２に記載の方法。
【請求項３６】
前記所望のＡＰ送信パワーレベルを決定するステップが、送受信パワーレベルを扱っている過去のメッセージに加えて、信号対雑音比（ＳＮＲ）、ビット誤り率（ＢＥＲ）、フレーム誤り率（ＦＥＲ）、および前記ＡＰから受信される信号の送信パワーの少なくとも１つを含むデータを決定し保存することにより過去の送受信統計値を利用するステップを含むことを特徴とする請求項３１に記載の方法。
【請求項３７】
前記所望のＡＰ送信パワーレベルを表すデータを挿入するステップが、パワー制御のために特別に指定された個々の制御フレームに、前記所望の送信パワーレベルデータを挿入するステップを含むことを特徴とする請求項３１に記載の方法。
【請求項３８】
無線ネットワークで使用するように構成された無線送受信ユニット（ＷＴＲＵ）において、
他のＷＴＲＵへ一般パワー制約メッセージをブロードキャストするように設定された送信機と、
所与のＷＴＲＵに対する所望の送信パワーレベルを決定し、通信フレームに、前記所与のＷＴＲＵの識別データとともに前記所望の送信パワーレベルを表すデータを挿入するように設定されたプロセッサと
を備え、
前記送信機が、前記一般パワー制約メッセージにかかわらず、前記所与のＷＴＲＵが前記ＷＴＲＵ宛の無線信号の送信パワーを調整することを可能にするために、所望の送信パワーレベルおよび識別データを含む通信フレームを送信するように設定されている
ことを特徴とする無線送受信ユニット。
【請求項３９】
前記ＷＴＲＵが無線ローカルエリアネットワーク（ＷＬＡＮ）のアクセスポイント（ＡＰ）として構成され、前記送信機が、ビーコンフレームで前記一般パワー制約メッセージをブロードキャストするように設定されていることを特徴とする請求項３８に記載の無線送受信ユニット。
【請求項４０】
前記プロセッサが、前記ビーコンフレームに前記所望の送信パワーレベルデータを挿入することによって、前記所望の送信パワーレベルを表すデータを挿入するように設定されていることを特徴とする請求項３９に記載のアクセスポイント。
【請求項４１】
前記プロセッサが、ＣＴＳ（clear-to-send）、ＲＴＳ（request-to-send）、データまたはＡＣＫ（acknowledge）フレームに前記所望の送信パワーレベルデータを挿入することによって、前記所望の送信パワーレベルを表すデータを挿入するように設定されていることを特徴とする請求項３９に記載のアクセスポイント。
【請求項４２】
前記プロセッサが、前記フレームで送信される所望の送信パワーレベルデータを識別するためのデータを、物理層コンバージェンスプロシージャ（ＰＬＣＰ）ヘッダの所定ビット群に挿入するように設定されていることを特徴とする請求項４１に記載のアクセスポイント。
【請求項４３】
前記プロセッサが、前記フレームのデータ部の先頭の所定バイト数の部分に、前記所望の送信パワーレベルデータを挿入することによって、前記所望の送信パワーレベルを表すデータを挿入するように設定されていることを特徴とする請求項４１に記載のアクセスポイント。
【請求項４４】
前記プロセッサが、メディアアクセス制御（ＭＡＣ）ヘッダに、前記所望の送信パワーレベルデータを挿入することによって、前記所望の送信パワーレベルを表すデータを挿入するように設定されていることを特徴とする請求項４１に記載のアクセスポイント。
【請求項４５】
前記プロセッサが、前記所望の送信パワーレベルおよび前記所与のＷＴＲＵの識別データとともに、ＡＰ送信パワーレベルを表すデータを前記通信フレームに挿入するように設定されていることを特徴とする請求項４１に記載のアクセスポイント。
【請求項４６】
前記プロセッサが、送受信パワーレベルを扱っている過去のメッセージに加えて、信号対雑音比（ＳＮＲ）、ビット誤り率（ＢＥＲ）、フレーム誤り率（ＦＥＲ）、および前記所与のＷＴＲＵから受信される信号の送信パワーの少なくとも１つを含むデータを決定し、保存することにより、過去の送受信統計値を利用することによって、前記所望の送信パワーレベルを決定するように設定されていることを特徴とする請求項３９に記載のアクセスポイント。
【請求項４７】
前記プロセッサが、パワー制御のために特別に指定された個々の制御フレームに、前記所望の送信パワーレベルデータを挿入することによって、前記所望の送信パワーレベルを表すデータを挿入するように設定されていることを特徴とする請求項３９に記載のアクセスポイント。
【請求項４８】
無線ネットワークで使用するための無線送受信ユニット（ＷＴＲＵ）において、
前記無線ネットワークのアクセスポイント（ＡＰ）から一般パワー制約メッセージのブロードキャストを受信するように設定され、前記ＡＰから前記ＷＴＲＵの識別データとともに所望の送信パワーレベルを表すデータを有する通信フレームを受信するようにさらに設定された受信機と、
前記一般パワー制約メッセージにかかわらず、前記受信された所望の送信パワーレベルデータに基づいて前記ＡＰ宛の無線信号の送信パワーを調整するように設定された関連するプロセッサを有する送信機と
を備えたことを特徴とする無線送受信ユニット。
【請求項４９】
前記受信機が、無線ローカルエリアネットワーク（ＷＬＡＮ）のビーコンフレームで一般パワー制約メッセージの前記ブロードキャストを受信するように設定されていることを特徴とする請求項４８に記載の無線送受信ユニット。
【請求項５０】
電力を供給するためのバッテリをさらに備え、前記プロセッサが、残存バッテリエネルギー容量を測定し、前記受信された所望の送信パワーレベルデータおよび前記測定された残存エネルギー容量に基づいて送信パワーを修正することによって、前記ＡＰ宛の無線信号の送信パワーを調整するように設定されていることを特徴とする請求項４９に記載の無線送受信ユニット。
【請求項５１】
前記プロセッサは、前記バッテリの前記測定された残存エネルギー容量が所定の閾値よりも高い場合に、調整の基礎として前記受信された所望の送信パワーレベルデータを使用することによって、前記ＡＰ宛の無線信号の送信パワーを調整するように設定されていることを特徴とする請求項５０に記載の無線送受信ユニット。
【請求項５２】
前記プロセッサは、前記バッテリの前記測定された残存エネルギー容量が前記所定の閾値よりも低い場合に、調整の基礎として前記受信された所望の送信パワーレベルデータを使用し、前記測定された残存エネルギー容量と前記所定の閾値との差の関数として前記調整を低減することによって、前記ＡＰ宛の無線信号の送信パワーを調整するように設定されていることを特徴とする請求項５１に記載の無線送受信ユニット。
【請求項５３】
前記送信機は、前記パワー調整が低減される場合に、前記ＡＰへバッテリ低下メッセージを送信するように設定されていることを特徴とする請求項５２に記載の無線送受信ユニット。
【請求項５４】
前記送信機は、前記受信された所望の送信パワーレベルデータに基づく前記ＡＰ宛の無線信号の送信パワーの前記プロセッサによる調整が、ＷＴＲＵ決定判断基準によって影響を受ける場合に、前記ＡＰへ非準拠調整メッセージを送信するように設定されていることを特徴とする請求項４８に記載の無線送受信ユニット。
【請求項５５】
前記プロセッサが、前記受信された所望の送信パワーレベルデータに基づいて、ならびに、残存バッテリ容量、最大パワーレベル、最小パワーレベルおよび非サポート機能のうちの少なくとも１つのＷＴＲＵ決定判断基準に基づいて、前記ＡＰ宛の無線信号の送信パワーを調整するように設定されていることを特徴とする請求項５４に記載の無線送受信ユニット。
【請求項５６】
前記プロセッサが、ＡＰから前記ＷＴＲＵへの送信のための所望のＡＰ送信パワーレベルを決定し、通信フレームに、前記ＷＴＲＵの識別データとともに前記所望のＡＰ送信パワーレベルを表すデータを挿入するように設定され、前記送信機が、前記ＡＰが前記ＷＴＲＵ宛の無線信号の送信パワーを調整することを可能にするために、前記通信フレームを送信するように設定されていることを特徴とする請求項４８に記載の無線送受信ユニット。
【請求項５７】
前記プロセッサが、ＣＴＳ（clear-to-send）、ＲＴＳ（request-to-send）、データまたはＡＣＫ（acknowledge）フレームに前記所望のＡＰ送信パワーレベルデータを挿入することによって、前記所望のＡＰ送信パワーレベルを表すデータを挿入するように設定されていることを特徴とする請求項５６に記載の無線送受信ユニット。
【請求項５８】
前記プロセッサが、前記フレームで送信されている所望のＡＰ送信パワーレベルデータを識別するためのデータを、物理層コンバージェンスプロシージャ（ＰＬＣＰ）ヘッダの所定ビット群に挿入するように設定されていることを特徴とする請求項５７に記載の無線送受信ユニット。
【請求項５９】
前記プロセッサが、前記フレームのデータ部の先頭の所定バイト数の部分に、前記所望の送信パワーレベルデータを挿入することによって、前記所望のＡＰ送信パワーレベルを表すデータを挿入するように設定されていることを特徴とする請求項５７に記載の無線送受信ユニット。
【請求項６０】
前記プロセッサが、メディアアクセス制御（ＭＡＣ）ヘッダに、前記所望のＡＰ送信パワーレベルデータを挿入することによって、前記所望のＡＰ送信パワーレベルを表すデータを挿入するように設定されていることを特徴とする請求項５７に記載の無線送受信ユニット。
【請求項６１】
前記プロセッサが、送受信パワーレベルを扱っている過去のメッセージに加えて、信号対雑音比（ＳＮＲ）、ビット誤り率（ＢＥＲ）、フレーム誤り率（ＦＥＲ）、および前記ＡＰから受信される信号の送信パワーの少なくとも１つを含むデータを決定し、保存することにより、過去の送受信統計値を利用することによって、前記所望のＡＰ送信パワーレベルを決定するように設定されていることを特徴とする請求項５６に記載の無線送受信ユニット。
【請求項６２】
前記プロセッサが、パワー制御のために特別に指定された個々の制御フレームに、前記所望の送信パワーレベルデータを挿入することによって、前記所望のＡＰ送信パワーレベルを表すデータを挿入するように設定されていることを特徴とする請求項５６に記載の無線送受信ユニット。
【請求項６３】
無線ネットワークで使用するための無線送受信ユニット（ＷＴＲＵ）において、
前記無線ネットワークのアクセスポイント（ＡＰ）から一般パワー制約メッセージのブロードキャストを受信するように設定された受信機と、
ＡＰから前記ＷＴＲＵへの送信のための所望のＡＰ送信パワーレベルを決定し、通信フレームに、前記ＷＴＲＵの識別データとともに前記所望のＡＰ送信パワーレベルを表すデータを挿入するように設定されたプロセッサと、
前記ＡＰが前記ＷＴＲＵ宛の無線信号の送信パワーを調整することを可能にするために、前記通信フレームを送信するように設定された送信機と
を備えたことを特徴とする無線送受信ユニット。
【請求項６４】
前記プロセッサが、ＣＴＳ（clear-to-send）、ＲＴＳ（request-to-send）、データまたはＡＣＫ（acknowledge）フレームに前記所望のＡＰ送信パワーレベルデータを挿入することによって、前記所望のＡＰ送信パワーレベルを表すデータを挿入するように設定されていることを特徴とする請求項６３に記載の無線送受信ユニット。
【請求項６５】
前記プロセッサが、前記フレームで送信されている所望のＡＰ送信パワーレベルデータを識別するためのデータを、物理層コンバージェンスプロシージャ（ＰＬＣＰ）ヘッダの所定ビット群に挿入するように設定されていることを特徴とする請求項６４に記載の無線送受信ユニット。
【請求項６６】
前記プロセッサが、前記フレームのデータ部の先頭の所定バイト数の部分に、前記所望の送信パワーレベルデータを挿入することによって、前記所望のＡＰ送信パワーレベルを表すデータを挿入するように設定されていることを特徴とする請求項６４に記載の無線送受信ユニット。
【請求項６７】
前記プロセッサが、メディアアクセス制御（ＭＡＣ）ヘッダに、前記所望のＡＰ送信パワーレベルデータを挿入することによって、前記所望のＡＰ送信パワーレベルを表すデータを挿入するように設定されていることを特徴とする請求項６４に記載の無線送受信ユニット。
【請求項６８】
前記プロセッサが、送受信パワーレベルを扱っている過去のメッセージに加えて、信号対雑音比（ＳＮＲ）、ビット誤り率（ＢＥＲ）、フレーム誤り率（ＦＥＲ）、および前記ＡＰから受信される信号の送信パワーの少なくとも１つを含むデータを決定し、保存することにより、過去の送受信統計値を利用することによって、前記所望のＡＰ送信パワーレベルを決定するように設定されていることを特徴とする請求項６３に記載の無線送受信ユニット。
【請求項６９】
前記プロセッサが、パワー制御のために特別に指定された個々の制御フレームに、前記所望の送信パワーレベルデータを挿入することによって、前記所望のＡＰ送信パワーレベルを表すデータを挿入するように設定されていることを特徴とする請求項６３に記載の無線送受信ユニット。
【発明の詳細な説明】
【技術分野】
【０００１】
本発明は、無線ローカルエリアネットワーク／無線広域ネットワーク（ＷＬＡＮ／ＷＷＡＮ）に関し、より詳細には、個別化されたパワー情報を提供するためにＷＬＡＮ／ＷＷＡＮで用いられる方法および装置に関する。
【背景技術】
【０００２】
無線通信システムは当技術分野で周知である。一般的に、このようなシステムは、相互に無線通信信号を送受信する通信ステーションを含む。システムのタイプに応じて、通信ステーションは一般に、ベースステーション（基地局）または加入者ユニットという２種類の無線送受信ユニット（ＷＴＲＵ）のいずれかである。加入者ユニットは移動ユニットを含む。
【０００３】
本明細書で用いる場合、ベースステーションという用語は、当該ベースステーションがアソシエート（提携、関連付け）されているネットワークへの無線アクセスをＷＴＲＵに提供する基地局、ノードＢ、サイトコントローラ、アクセスポイント等の、無線環境内のインタフェースデバイスを含むが、これらに限定されない。
【０００４】
本明細書で用いる場合、ＷＴＲＵ（無線送受信ユニット）という用語は、無線環境内で動作可能なユーザ機器、移動局、固定または移動加入者ユニット、ページャ（ポケットベル）、またはその他のタイプのデバイスを含むが、これらに限定されない。ＷＴＲＵは、電話機、ビデオフォン（ビデオ電話）、およびネットワーク接続（コネクション）を備えたインターネット対応電話機のようなパーソナル通信デバイスを含む。さらに、ＷＴＲＵは、同様のネットワーク機能を有する無線モデムを備えたＰＤＡ（携帯情報端末）およびノート型コンピュータのような携帯型パーソナルコンピューティングデバイスを含む。携帯型、あるいは居場所を変えることができるＷＴＲＵを移動ユニットと称する。一般に、ベースステーションはＷＴＲＵでもある。
【０００５】
通常、ベースステーションのネットワークが設けられ、各ベースステーションは、適切に設定されたＷＴＲＵと同時無線通信をすることができる。一部のＷＴＲＵは相互に、すなわちベースステーション経由でネットワークを通じて中継されることなく、直接無線通信するように設定されている。これは一般に、ピアツーピア無線通信と呼ばれる。ＷＴＲＵが他のＷＴＲＵと通信するように設定されている場合、そのＷＲＥＵ自身がベースステーションとして設定され、ベースステーションとして機能し得る。ＷＴＲＵは、ネットワーク通信機能およびピアツーピア通信機能を両方とも備え、複数のネットワークで使用されるように設定されることができる。
【０００６】
無線ローカルエリアネットワーク(ＷＬＡＮ）と呼ばれる無線システムの１タイプは、ＷＬＡＮモデムを装備したＷＴＲＵとの間で無線通信を行うように構成することができ、このＷＴＲＵは、同様の装備のＷＴＲＵとの間でピアツーピア通信を行うことも可能である。現在、ＷＬＡＮモデムは、メーカによって、多くのこれまでの通信・コンピューティングデバイスに組み込まれている。例えば、携帯電話、携帯情報端末、およびラップトップコンピュータには、１つまたは複数のＷＬＡＮモデムが組み込まれている。
【０００７】
１つまたは複数のＷＬＡＮベースステーション（通常、アクセスポイント（ＡＰ）と称する）を備えた、普及しているＷＬＡＮ環境は、ＩＥＥＥ８０２．１１標準に従って構築されている。こうしたネットワークへのアクセスは通常、ユーザ認証手続きを必要とする。このようなシステムのためのプロトコルが、ＷＬＡＮ技術分野で現在標準化されている。このようなプロトコルのフレームワークの１つにＩＥＥＥ８０２標準ファミリがある。
【０００８】
基本サービスセット（ＢＳＳ）は、ＩＥＥＥ８０２．１１ＷＬＡＮの基本構成ブロックである。これは、ステーション（ＳＴＡ）とも呼ばれるＷＴＲＵから構成される。基本的には、相互に通信可能なＷＴＲＵのセットがＢＳＳを形成することができる。複数のＢＳＳが、分散システム（ＤＳ）と呼ばれるアーキテクチャコンポーネントを通じて相互接続されることにより、拡張サービスセット（ＥＳＳ）を形成する。アクセスポイント（ＡＰ）は、ＤＳサービスを提供することによってＤＳへのアクセスを提供するＷＴＲＵであり、一般に、複数のＷＴＲＵによるＤＳへの同時アクセスを可能にする。
【０００９】
ＩＥＥＥ８０２．１１環境でピアツーピア通信（通常、「アドホック」モードと呼ばれる）により動作するＷＴＲＵのネットワークは、「インディペンデント（独立）ＢＳＳ」と呼ばれる。「インディペンデントＢＳＳ」では、２個以上のＷＴＲＵどうしが、仲介するネットワーク要素を必要とせずに通信を確立する。ネットワークインフラストラクチャ（ネットワークインフラ）へのＡＰは不要である。しかし、アドホックプロトコルを用いて、ＡＰが、ピアツーピア通信における他のＷＴＲＵとして作用するように設定されることが可能である。この場合、ＡＰは、他のネットワークまたはインターネットへのブリッジ（データ中継装置）またはルータ（送信経路決定装置）として作用することができる。
【００１０】
アドホックネットワークを開始するＷＴＲＵは、サービスセット識別子（ＳＳＩＤ）、チャネルおよびビーコンタイミング等のアドホックネットワークのオペレーティングパラメータを選択し、この情報を例えばビーコンフレームで送信する。ステーションは、アドホックネットワークに加入する際に、それらのオペレーティングパラメータを取り入れる。ネットワークインフラストラクチャが使用され無線通信がＡＰを通じて制御される場合、ＳＳＩＤ等のパラメータは通常、ＡＰに接続されたネットワークコントローラによって指定される。ＡＰは、ビーコンフレームを周期的にブロードキャスト（一斉送信）することにより、ＷＴＲＵがＡＰを識別して通信の確立を試みることができるようにしている。
【００１１】
ＩＥＥＥ８０２に基づくシステムにおけるＳＳＩＤは、ＷＬＡＮを通じて送信されるパケットのヘッダに付加される３２文字の一意識別子とすることができる。その場合、ＳＳＩＤは、ＷＴＲＵがＢＳＳまたはインディペンデントＢＳＳに接続しようとする時のパスワードとして作用する。ＳＳＩＤは１つのＷＬＡＮを別のＷＬＡＮから区別するものなので、特定のＷＬＡＮに接続しようとするすべてのベースステーションおよびすべてのデバイスは通常、同一のＳＳＩＤを使用する。デバイスは通常、固有のＳＳＩＤを提供できなければ、ＢＳＳへの加入を許可されない。
【００１２】
より大きいスケールでは、ＡＰ間や、他の種類のネットワークベースステーションおよびユーザＷＴＲＵの間での通信をサポートするために、無線広域ネットワーク（ＷＷＡＮ）を提供することができる。長距離にわたって動作する携帯電話ネットワークは一種のＷＷＡＮである。
【発明の開示】
【発明が解決しようとする課題】
【００１３】
一般に、ＷＬＡＮ／ＷＷＡＮに設けられるＡＰはパワー制約情報をブロードキャストし、このパワー制約情報はＡＰと通信するすべてのＷＴＲＵによって、送信パワーを低減するために利用されている。各ＷＴＲＵおよび／または他のコネクションもしくはデバイスの送信パワーは、個別に増減させることが望ましいと、本発明の発明者らは認識した。
【課題を解決するための手段】
【００１４】
本発明は、個々の無線送受信ユニット（ＷＴＲＵ）に送信パワー情報を提供することが可能な、無線ローカルエリアネットワーク／無線広域ネットワーク（ＷＬＡＮ／ＷＷＡＮ）で用いられる方法および装置を包含することを特徴とする。
【００１５】
送信パワーレベルは、好ましくは、信号対雑音比（ＳＮＲ）、ビット誤り率（ＢＥＲ）、フレーム誤り率（ＦＥＲ）等のような過去の送受信統計値に基づいて設定される。所望の送信パワー情報は、好ましくは、特定のＷＴＲＵに対して、その特定のＷＴＲＵについて指定されているＣＴＳ（clear-to-send：送信可）、ＲＴＳ（request-to-send：送信要求）、データまたはＡＣＫ（acknowledge：肯定応答）のいずれかのフレームのヘッダで送信される。パワーレベルの計算および送信パワー情報の送信は、通信相手のＷＴＲＵの送信パワーを制御するためにＡＰで行われても、ＡＰからＷＴＲＵ宛のフレームの送信パワーを制御するためにＷＴＲＵで行われてもよい。
【００１６】
個々の送信パワー情報は、随意的に、ＡＰによって、ビーコンフレームを通じて伝達することができる。ビーコンフレームは、好ましくは最初の通信開始時にＷＴＲＵによって用いられる初期パワー制御設定に加えて、通信相手のＷＴＲＵのＷＴＲＵ識別子およびパワー制御データの両方を含むように適合される。別法では、パワー制御情報を挿入するためのパワー制御用に特別に指定されたフレームが提供される。しかし、ネットワークスループットに悪影響を及ぼさないためには、他の目的にも用いられるフレームでパワー制御情報を通信することが好ましい。
【００１７】
本発明の一態様では、無線送受信ユニット（ＷＴＲＵ）は、他のＷＴＲＵへ一般パワー制約メッセージをブロードキャストするように構成された送信機と、関連するプロセッサとを有する。プロセッサは、好ましくは、所与のＷＴＲＵに対する所望の（desired ）送信パワーレベルを決定し、上記所与のＷＴＲＵの識別データとともに所望の送信パワーレベルを表すデータを通信フレームに挿入するように設定される。送信機は、好ましくは、上記所与のＷＴＲＵが、一般パワー制約メッセージにかかわらず、ＷＴＲＵ宛の無線信号の送信パワーを調整することができるようにするために、所望の送信パワーレベルおよび識別データを含む通信フレームを送信するように設定される。好ましくは、このＷＴＲＵは、ビーコンフレームで一般パワー制約メッセージをブロードキャストするように構成された送信機を備え、無線ローカルエリアネットワーク（ＷＬＡＮ）のアクセスポイント（ＡＰ）として設定される。
【００１８】
このようなＡＰのプロセッサは、所望の送信パワーレベルデータをビーコンフレームに挿入することによって、所望の送信パワーレベルを表すデータを挿入するように構成され得る。別法として、プロセッサは、所望の送信パワーレベルデータを、標準的なＣＴＳ（clear-to-send）、ＲＴＳ（request-to-send）、データもしくはＡＣＫ（acknowledge）のいずれかのフレームに、またはパワー制御のために特別に指定された個々の制御フレームに挿入することによって、所望の送信パワーレベルを表すデータを挿入するように構成され得る。
【００１９】
また、ＡＰプロセッサは、フレームで送信される所望の送信パワーレベルデータを識別するためのデータを、物理層コンバージェンスプロシージャ（ＰＬＣＰ）ヘッダの所定ビット群に挿入するように構成されてもよい。
【００２０】
その他の別法として、ＡＰプロセッサは、フレームのデータ部の先頭の所定バイト数の部分に所望の送信パワーレベルデータを挿入することによって、またはメディアアクセス制御（ＭＡＣ）ヘッダに所望の送信パワーレベルデータを挿入することによって、所望の送信パワーレベルを表すデータを挿入するように構成されてもよい。また、ＡＰプロセッサは、所望の送信パワーレベルおよび上記所与のＷＴＲＵの識別データとともに、ＡＰ送信パワーレベルを表すデータを通信フレームに挿入するように構成されてもよい。
【００２１】
好ましくは、ＡＰプロセッサは、送受信パワーレベルを扱う過去（先行）のメッセージに加えて、信号対雑音比（ＳＮＲ）、ビット誤り率（ＢＥＲ）、フレーム誤り率（ＦＥＲ）、および所与のＷＴＲＵから受信される信号の送信パワーの少なくとも１つを含むデータを割り出し、保存することにより、過去の送受信統計値を利用して所望の送信パワーレベルを決定するように設定される。
【００２２】
本発明の別の態様では、ＷＴＲＵは、受信機、送信機および関連するプロセッサとともに無線ネットワークで使用するように設定される。受信機は、好ましくは、無線ネットワークのアクセスポイント（ＡＰ）から一般パワー制約メッセージのブロードキャストを受信するように設定される。受信機は、好ましくは、さらに、ＷＴＲＵの識別データとともに所望の送信パワーレベルを表すデータを持つ通信フレームをＡＰから受信するように設定される。プロセッサは、好ましくは、一般パワー制約メッセージにかかわらず、受信された所望の送信パワーレベルデータ（受信所望の送信パワーレベルデータ）に基づいて、ＡＰ宛の無線信号の送信パワーを調整するように設定される。ＷＴＲＵの受信機は、好ましくは、無線ローカルエリアネットワーク（ＷＬＡＮ）におけるビーコンフレームで一般パワー制約メッセージのブロードキャストを受信するように設定される。
【００２３】
ＷＴＲＵの送信機は、受信した所望の送信パワーレベルデータに基づくＡＰ宛の無線信号の送信パワーのプロセッサによる調整が、ＷＴＲＵが決定した判断基準（ＷＴＲＵ決定判断基準）によって影響を受ける場合には、ＡＰへ非準拠調整メッセージ（nonconforming adjustment message）を送信するように構成され得る。この場合、ＷＴＲＵのプロセッサは、好ましくは、受信所望の送信パワーレベルデータに基づいて、ならびに、残存バッテリ容量、最大パワーレベル、最小パワーレベルおよび非サポート機能のうちの少なくとも１つのＷＴＲＵ決定判断基準に基づいて、ＡＰ宛の無線信号の送信パワーを調整するように設定される。
【００２４】
ＷＴＲＵが電力供給のためのバッテリを含む場合、プロセッサは、残存バッテリエネルギー容量を測定し、受信所望の送信パワーレベルデータおよび測定した残存エネルギー容量（測定残存エネルギー容量）に基づいて送信パワーを修正することによって、ＡＰ宛の無線信号の送信パワーを調整するように構成され得る。この場合、プロセッサは、好ましくは、バッテリの測定残存エネルギー容量が所定の閾値よりも高い場合には、受信所望の送信パワーレベルデータを調整の基礎として使用し、バッテリの測定残存エネルギー容量が所定の閾値よりも低い場合には、受信所望の送信パワーレベルデータを調整の基礎として使用するとともに、測定残存エネルギー容量と所定の閾値との差の関数として調整を低減することによって、ＡＰ宛の無線信号の送信パワーを調整するように設定される。その場合、ＷＴＲＵの送信機は、パワー調整が低減されるとき、ＡＰへバッテリ低下メッセージを送信するように構成され得る。
【００２５】
また、ＷＴＲＵのプロセッサは、ＡＰからＷＴＲＵへの送信のための目標（desired）ＡＰ送信パワーレベルを決定し、ＷＴＲＵの識別データとともに所望のＡＰ送信パワーレベルを表すデータを通信フレームに挿入するように構成され得る。この場合、送信機は、ＡＰがＷＴＲＵ宛の無線信号の送信パワーを調整することを可能にするための通信フレームを送信するように設定される。好ましくは、ＷＴＲＵのプロセッサは、所望のＡＰ送信パワーレベルデータをＣＴＳ（clear-to-send）、ＲＴＳ（request-to-send）、データもしくはＡＣＫ（acknowledge）のいずれかのフレームに、またはパワー制御のために特別に指定された個々の制御フレームに挿入することによって、所望のＡＰ送信パワーレベルを表すデータを挿入するように設定される。同様に、このＷＴＲＵのプロセッサは、ＡＰのプロセッサの例として上記で説明したごとく、データを挿入するように構成され得る。
【００２６】
本発明の特徴および要素は、特定の組合せとして、好ましい実施形態において説明されるが、それぞれの特徴あるいは要素は、単独で（好ましい実施形態の他の特徴および要素を伴わずに）使用されることも、あるいは本発明の他の特徴および要素の有無にかかわらず、種々の組合せで使用されることも可能である。
【００２７】
本発明は、図面を考慮することで理解される。図中、同一要素は同一符号で表される。
【発明を実施するための最良の形態】
【００２８】
図１は、少なくとも１つのＡＰと、それと通信する複数の無線送受信ユニット（ＷＴＲＵ）ＷＴＲＵ−１〜ＷＴＲＵ−Ｎとからなる無線ローカルエリアネットワーク／無線広域ネットワーク（ＷＬＡＮ／ＷＷＡＮ）１０を示している。各ＡＰは、その通信到達範囲内のＷＴＲＵへパワー情報を送信することが可能であり、各ＷＴＲＵも同様に、その通信到達範囲内のＡＰへパワー情報を送信することが可能である。
【００２９】
ＩＥＥＥ８０２．１１ｈ標準（セクション７．３．２．１．３）のような既存の標準では、ローカルパワー制約要素がビーコンフレームによってすべてのＡＰにより送信される。現在使用されているこのローカルパワー制約は、すべてのＷＴＲＵの送信パワーを同じ値に設定する。本発明はそれとは異なり、特にＩＥＥＥ８０２．１１標準に準拠して動作するように構成されたＷＬＡＮ／ＷＷＡＮにおいて、各ＷＴＲＵへ個々の送信パワー値を提供する点で特徴的である。
【００３０】
図２は、ＷＬＡＮまたはＷＷＡＮのいずれかのアクセスポイント（ＡＰ）によって使用される本発明の方法および装置を例示している。ステップＳ１で、ＡＰは、所与のリモートＷＴＲＵのパワーレベルを割り出す。このパワーレベルは、信号対雑音比（ＳＮＲ）、ビット誤り率（ＢＥＲ）、フレーム誤り率（ＦＥＲ）等のような情報を利用した過去の送受信統計値に基づく。ステップＳ２で、ＡＰは、好ましくは、所与のＷＴＲＵに対するパワーレベルデータのパワー制約メッセージを、その特定のＷＴＲＵ宛のＣＴＳ（clear-to-send）、ＲＴＳ（request-to-send）、データまたはＡＣＫ（acknowledge）フレームのようなフレームのフレームヘッダに挿入する。ステップＳ３で、ＡＰは、パワーレベルデータを含むフレームを送信する。送信パワーレベルデータは、パワー制約メッセージの形を取ってもよいし、実際の送信パワー、最大パワーからの送信パワー減少分、もしくは最小パワーからの送信パワー増加分、または最後に送信した送信パワーからの増減であってもよい。
【００３１】
一例として、物理層コンバージェンスプロシージャ（ＰＬＣＰ）ヘッダにおいて、８ビットがサービスのために予約される。これらのビットは、パワー制御情報がそのフレームで送信されることを示すために用いられる。フレームのデータ部の最初の数ビットが、パワー制御情報を送信するために用いられる。ＡＰは、好ましくは、パワー制御情報を含むこのようなフレームを送信するように設定され、ＷＴＲＵは、好ましくは、このフレームを受信し、このフレーム内のパワー制御情報を検出するように設定される。
【００３２】
好ましくは、ＡＰは、１回または複数回のフレーム交換中に個々のＷＴＲＵの送信パワーレベルを計算するように設定される。また、ＡＰは、好ましくは、全体的に送信されるビーコンフレームとは別に、計算した送信パワーレベルを表すデータを個々のＷＴＲＵに直接送信するように設定される。
【００３３】
個々の送信パワーデータは、随意的に、ＡＰによって、当該ＡＰの通信相手のＷＴＲＵのＷＴＲＵ識別およびパワー制御データの両方を含むように適合されたビーコンフレームに挿入され得る。このオプションを利用しているかどうかにかかわらず、ＡＰは、好ましくは、最初の通信開始時にＷＴＲＵによって用いられる初期パワー制御設定を含むビーコンフレームを、ブロードキャストするように設定される。これに対応して、ＷＴＲＵは、好ましくは、ＷＴＲＵがＡＰから個別送信パワーデータを受信していない場合、受信ビーコンフレームの初期パワー制御設定のみを使用するように設定される。
【００３４】
別法では、パワー制御情報を挿入するための特別に指定されたパワー制御フレームが提供される。しかし、ネットワークスループットに悪影響を及ぼさないためには、他の目的にも用いられるフレームでパワー制御情報を通信することが好ましい。
【００３５】
スマート（適応性）アンテナ機能を有するＡＰは、その機能が存在していて送信（ＴＸ）特性を考慮にいれる場合には、ＡＰアンテナの高度な能力よるより低いパワーの制御情報の利用を可能にするという多大の利益を伴って、本発明を用いることができる。
【００３６】
さらに、ＷＴＲＵは、ＡＰからのパワー制御情報だけでなく、バッテリ消費量も考慮に入れて、パワーレベルを調整するパワー制御アルゴリズムを備える。
【００３７】
図３に、本発明の教示を用いたＷＴＲＵの好ましい動作構成を例示する。ＷＴＲＵは、ステップＳ１で送信パワー情報を含む指定されたフレームを受信した後、Ｓ２でパワーレベルメッセージを抽出し、ステップＳ３で、バッテリ消費量を測定する。ステップＳ４で、ＷＴＲＵは、好ましくは、受信した送信パワー情報および測定したバッテリ関連データの両方を考慮して自己の送信パワーレベルを調整するように設定される。好ましくは、ＷＴＲＵは、ステップＳ４で、ＡＰから送られてきた送信パワーレベルを使用するが、測定バッテリレベルが所定の閾値よりも低い場合にはそのパワーレベルを低減させる。送信パワーレベルの低減量は、好ましくは、閾値よりも次第に低くなるバッテリレベルのレベル低下の程度に応じて計算される。ステップＳ４で実行した調整の結果は、ステップＳ５で、将来のパワーレベル調整で使用するために保存される。
【００３８】
上記のように、ＷＴＲＵがＡＰにパワーレベルデータを提供することで、当該ＷＴＲＵ宛のＡＰの送信のパワーを制御するようにしてもよい。図４に、このようなＷＴＲＵの好ましい動作構成を例示する。ステップＳ６で、ＷＴＲＵはバッテリ消費量を測定する。ステップＳ７で、ＷＴＲＵは、ＢＥＲ、ＦＥＲ、ＳＮＲ等の１つまたは複数を含む過去の受信データに基づいてパワーレベルを決定するが、測定したバッテリレベルが所定の閾値よりも低い場合には、決定したパワーレベルを増大させるように、この情報を修正する。そして、ステップＳ８で、対応するパワーレベルデータがＡＰへ送信される。ＡＰは、ＷＴＲＵとの通信のための送信パワーを決定する際に、この情報を使用する。また、ＡＰは、他のＷＴＲＵとの通信のための自己の送信パワーを決定する際、および／または、それぞれのＷＴＲＵの送信パワーを制御するためにＷＴＲＵへ送信すべきパワーレベルデータを計算する際にも、この情報を使用することができる。
【００３９】
上記の機能を実行するため、ＷＴＲＵは、ＡＰによって送信される定義済みフレームを受信するように設定されたアンテナを有する受信機を組み込んだ装置を備えて構成される。変調信号が送信される場合、受信機は、好ましくは、受信信号をベースバンドに還元するための復調器を備えて構成される。ＷＴＲＵは、さらに好ましくは、標的のパワー制約信号を抽出するための装置を備えて構成される。バッテリ動作方式のＷＴＲＵでは、好ましくは、ＷＴＲＵバッテリ電源のエネルギー容量を測定するように構成されたセンサを備える。
【００４０】
また、ＷＴＲＵは、好ましくは、調整可能な送信パワーレベルを有する送信機と、送信パワーレベルを設定するように構成されたコントローラも含む。送信パワーレベルは、受信したパワー制約メッセージのみに基づいて、または、携帯電源のエネルギー容量の情報が利用可能な場合にはその情報に従ってパワー制約メッセージを修正したものに基づいて、設定される。コントローラは、さらに、バッテリ電源に残存する最大エネルギー容量と測定エネルギー容量との差、または、所定の閾値と測定エネルギー容量との差の大きさに基づく複数のレベルのうちの１つへと、パワーレベル調整を修正するように構成されてもよい。
【００４１】
ＷＴＲＵコントローラは、好ましくは、測定したエネルギー容量の読み込まれたデータ（測定値）を保存し、ＲＴＳまたはＡＣＫフレームの一部としてＡＰへ転送されるパワーレベルメッセージを生成するように設定される。ＷＴＲＵ受信機は、さらに、ビーコンフレームのパワーレベルを測定して、その読み込まれたデータ（測定値）を保存するように構成されてもよい。その場合、ＷＴＲＵコントローラは、好ましくは、ＡＰへ送信されるＷＴＲＵ識別メッセージで、パワーレベルの一部として、またはそれに加えて、測定パワーレベルを送信機に提供するように設定される。
【００４２】
ＡＰは、好ましくは、ＷＴＲＵメッセージを受信し、そのメッセージをベースバンドに変換する受信機を備えて構成される。ＡＰコントローラは、好ましくは、ＷＴＲＵから受信したメッセージ内の情報および前に保存した電源データに基づいてパワーレベル制約メッセージを生成し、パワー制約メッセージの形でパワーレベルデータをＡＰ送信機に提供するように設定される。
【００４３】
ＡＰは、さらに好ましくは、パワー制約メッセージをＣＴＳ、ＲＴＳ、ＡＣＫ、またはデータフレームのいずれかに挿入し、当該フレームで送信されているパワー制約メッセージを識別するためのデータを、当該フレームおよび関連するパワー制約メッセージの受信先となるＷＴＲＵを識別するための識別コードとともにＰＬＣＰヘッダに挿入するように設定される。
【００４４】
ＷＴＲＵとＡＰとは役割を入れ替えてもよく、ＷＴＲＵが上記の技法を利用して、ＡＰの送信を助けるためにパワー制約メッセージと同等の情報を提供してもよい。
【００４５】
本発明の特徴および要素は、特定の組合せとして好ましい実施形態について説明されているが、それらそれぞれの特徴あるいは要素は、単独で（好ましい実施形態の他の特徴および要素を伴わずに）使用されることも、本発明の他の特徴および要素の有無にかかわらず種々の組合せで使用されることも可能である。
【図面の簡単な説明】
【００４６】
【図１】ＷＬＡＮネットワークの簡略ブロック図である。
【図２】ＡＰが送信パワー情報を生成し送信する方法の一例を示す概略図である。
【図３】ＷＴＲＵが、ＡＰからの送信パワー情報およびＷＴＲＵのバッテリ消費量に応じてその送信パワー出力を調整する方法を示す概略図である。
【図４】ＷＴＲＵが送信パワー情報を生成し送信する方法の一例を示す概略図である。
【図１】
2007517475.tif 000003
【図２】
2007517475.tif 000004
【図３】
2007517475.tif 000005
【図４】
2007517475.tif 000006
【国際調査報告】
2007517475.tif 000007